(57)【要約】【課題】点灯操作を行わなくても必要に応じて自動で照明機能が有効となり、計測中に時間切れとなって消灯するようなことも防げる携帯型電気計測器を提供する。【解決手段】携帯型電気計測器であるペン型接地抵抗計１０の本体１１には、光センサ１９の受光部１９ａが露出するように設け、使用環境が暗く、点灯条件を判断する基準照度以下になったことを光センサ１９で検知すると、測定用のプローブ１３の先端である導通部１３ａを照らせるように設けたプローブ用照明灯１７および液晶表示器用バックライト１５ａを一緒に点灯させ、光センサ１９が基準照度を上回る光量を検知するまでプローブ用照明灯１７と液晶表示器用バックライト１５ａを消灯しないことで、暗い環境や夜間にはプローブ用照明灯１７と液晶表示器用バックライト１５ａが自動で点灯し、明るくなると、プローブ用照明灯１７と液晶表示器用バックライト１５ａが自動で消える。【選択図】図１
0003167914.tif 000002
【実用新案登録請求の範囲】
【請求項１】
手で持てる本体の先端部分に計測用のプローブを備え、非計測回路に導通させたプローブを介して取得した計測値に基づいて所望の計測情報を算出する計測制御部を本体内に備える携帯型電気計測器において、
前記計測用プローブが光照射領域となるように光照射方向を定めて、本体に設けたプローブ用照明灯と、
前記本体の外面に受光部が露出し、周囲環境の照度に応じたアナログ信号を出力する光センサと、
前記光センサから入力されたアナログ信号をディジタル値に変換した検知レベル信号を出力するＡ／Ｄ変換回路と、
前記Ａ／Ｄ変換回路から入力された検知レベル信号を、基準照度として予め定められた基準値と比較することにより、検知レベル信号が基準値以下となった点灯条件が満たされることで、発光指示信号を出力する比較回路と、
前記比較回路からの発光指示信号を受けることで、前記プローブ用照明灯を点灯させる電源の供給を開始する制御を行う給電制御回路と、
を備えることを特徴とする携帯型電気計測器。
【請求項２】
前記本体には計測値を可視表示するための液晶表示器を設け、
前記給電制御回路は、比較回路より発光指示信号を受けたとき、プローブ用照明灯の点灯と併せて、液晶表示器用バックライトへの電源供給を開始させるようにしたことを特徴とする請求項１に記載の携帯型電気計測器。
【考案の詳細な説明】
【技術分野】
【０００１】
本考案は、手で持てる本体の先端部分に計測用のプローブを備え、非計測回路に導通させたプローブを介して取得した計測値に基づいて所望の計測情報を算出する計測制御部を本体内に備える携帯型電気計測器に関するものである。
【背景技術】
【０００２】
従来より、可搬性が良い携帯型電気計測器は、非計測回路の測定箇所が比較的狭小であっても自在にプローブを動かして使用でき、一人での計測作業などに広く利用されている。しかし、一人での作業では、測定箇所が暗い場合など、ペンライトのような照明機器を別途に操作しなければならず、補助者がいないと計測作業が行えないという不便さが有ったので、一側プローブの接触端を照らすようにライトを設け、特定機能入力キーを操作することでライトを点灯させるようにしたライト付き携帯用テスタが提案されている（例えば、特許文献１を参照）。
【先行技術文献】
【特許文献】
【０００３】
【特許文献１】特開２００４−２０３６１号公報
【考案の概要】
【考案が解決しようとする課題】
【０００４】
しかしながら、特許文献１に記載されているライト付き携帯用テスタでは、わざわざライトの点灯操作を行わなければ、ライトが点灯しないことから、必ずしも操作利便性が高いとは言えなかった。しかも、特許文献１に記載のライト付き携帯用テスタでは、ライトの点灯時間が一定時間以上になると、消し忘れ防止のためにライトが自動で消灯するため、計測に思いのほか時間がかかった場合など、ライトを点灯してから一定時間が経ったために自動消灯となり、却って計測作業の妨げになるおそれもあった。
【０００５】
そこで、本考案は、点灯操作を行わなくても必要に応じて自動で照明機能が有効となり、計測中に時間切れとなって消灯するようなことも防げる携帯型電気計測器の提供を目的とする。
【課題を解決するための手段】
【０００６】
上記の課題を解決するために、請求項１に係る考案は、手で持てる本体の先端部分に計測用のプローブを備え、非計測回路に導通させたプローブを介して取得した計測値に基づいて所望の計測情報を算出する計測制御部を本体内に備える携帯型電気計測器において、前記計測用プローブが光照射領域となるように光照射方向を定めて、本体に設けたプローブ用照明灯と、前記本体の外面に受光部が露出し、周囲環境の照度に応じたアナログ信号を出力する光センサと、前記光センサから入力されたアナログ信号をディジタル値に変換した検知レベル信号を出力するＡ／Ｄ変換回路と、前記Ａ／Ｄ変換回路から入力された検知レベル信号を、基準照度として予め定められた基準値と比較することにより、検知レベル信号が基準値以下となった点灯条件が満たされることで、発光指示信号を出力する比較回路と、前記比較回路からの発光指示信号を受けることで、前記プローブ用照明灯を点灯させる電源の供給を開始する制御を行う給電制御回路と、を備えることを特徴とする。
【０００７】
また、請求項２に係る考案は、請求項１に記載の携帯型電気計測器において、前記本体には計測値を可視表示するための液晶表示器を設け、前記給電制御回路は、比較回路より発光指示信号を受けたとき、プローブ用照明灯の点灯と併せて、液晶表示器用バックライトへの電源供給を開始させるようにしたことを特徴とする。
【考案の効果】
【０００８】
請求項１に係る携帯型電気計測器によれば、手で持てる本体の先端部分に計測用のプローブを備え、非計測回路に導通させたプローブを介して取得した計測値に基づいて所望の計測情報を算出する計測制御部を本体内に備える携帯型電気計測器において、前記計測用プローブが光照射領域となるように光照射方向を定めて、本体に設けたプローブ用照明灯と、前記本体の外面に受光部が露出し、周囲環境の照度に応じたアナログ信号を出力する光センサと、前記光センサから入力されたアナログ信号をディジタル値に変換した検知レベル信号を出力するＡ／Ｄ変換回路と、前記Ａ／Ｄ変換回路から入力された検知レベル信号を、基準照度として予め定められた基準値と比較することにより、検知レベル信号が基準値以下となった点灯条件が満たされることで、発光指示信号を出力する比較回路と、前記比較回路からの発光指示信号を受けることで、前記プローブ用照明灯を点灯させる電源の供給を開始する制御を行う給電制御回路と、を備えるので、暗室や夜間に使用するときは、計測作業に支障のある暗さであることを光センサの入力値により判断してプローブ用照明灯を自動で点灯させることができ、しかも、光センサによって光量不足が解消されたと検知されるまでプローブ用照明灯を消灯することはないので、計測作業中にプローブ用照明灯がタイムアップで消えてしまうこともない。よって、極めて利便性の良い携帯型電気計測器となる。
【０００９】
また、請求項２に係る携帯型電気計測器によれば、前記本体には計測値を可視表示するための液晶表示器を設け、前記給電制御回路は、比較回路より発光指示信号を受けたとき、プローブ用照明灯の点灯と併せて、液晶表示器用バックライトへの電源供給を開始させるようにしたので、暗室や夜間に使用するときは、液晶表示器用バックライトも自動で点灯して液晶表示器の計測結果を確認しやすくなると共に、計測作業中に液晶表示器用バックライトがタイムアップで消えてしまうこともない。
【図面の簡単な説明】
【００１０】
【図１】（ａ）はペン型接地抵抗計の平面図である。（ｂ）はペン型接地抵抗計の正面図である。
【図２】照明の自動点灯に関わる機能を抽出して示した機能ブロック図である。
【考案を実施するための形態】
【００１１】
以下、本考案に係る携帯型電気計測器の実施形態を添付図面に基づき説明する。なお、本実施形態は、片手での取扱が容易なペン型の本体１１に接地抵抗計の機能を備えたペン型接地抵抗計１０に適用したものであるが、その形状はペン型に限定されるものではないと共に、計測機能も接地抵抗計測に限定されるものではない。
【００１２】
使用者が手に持つための把持部として機能する本体１１は、例えば、前後に長い形状として、前方に設けたプローブ保持部１２より前方にプローブ１３を延出させ、プローブ１２の先端である導通部１３ａを非計測回路の計測点に導通させて計測を行う。なお、本体の後方には図示を省略した着脱可能な接地側プローブが取り付けられる。
【００１３】
また、本体１１の後部上面には電源スイッチ１４を、その前側には液晶表示器１５を、更にその前側には測定スイッチ１６を設け、例えば、親指と人差し指の間で本体１１の下面を支え、親指と人差し指を本体１１の側面から上面に回して保持すると、ペンを持つようにペン型接地抵抗計１０を持つことができ、この保持状態で親指または人差し指で操作し易い位置に測定スイッチ１６が設けられていることから、プローブ１３の導通部１３ａを計測点に導通させるように本体１１を持ったまま、計測スイッチ１６を操作して、計測を行うことができる。
【００１４】
ここで、本体１１におけるプローブ保持部１２の適宜後方上部には、例えばＬＥＤで構成したプローブ用照明灯１７を配置し、少なくともプローブ１３の導通部１３ａ近傍が光照射領域となるようにし、プローブ用照明灯１７を点灯させると、計測部位が暗くても、適宜な光量で導通部１３ａの周囲を照らすことができる。また、プローブ用照明灯１７の外周を覆うように導光カバー部１８を設け、導通部１３ａのある前方に向けて効率良く光照射を行えるようにした。
【００１５】
さらに、本体１１における計測スイッチ１６の適宜前方には、指先の腹で覆うことができる程度の開口に光センサ１９の受光部１９ａを配置し、この受光部１９ａで受光した光量に応じて、光センサ１９からアナログ量の検知信号を得ることができるようにした。例えば、光量に応じた電流が流れるフォトダイオードの出力を電圧に変換して取り出すＩ−Ｖ変換機能を備えるフォトニックセンサを光センサ１９として用いることができる。なお、光センサ１９の受光部１９ａを指先で覆うと、光センサ１９の出力電圧がほぼゼロとなり、ペン型接地抵抗計１０を暗室で使用しているかのような周囲環境を擬似的に作ることができる。
【００１６】
上記光センサ１９からの検知信号を使ってプローブ用照明灯１７の点灯制御を行う照明制御部２０の構成を図２に示す。なお、照明制御部２０は、計測制御部を構成するマイクロコンピュータ等で実現でき、本体１１内に収納され、電源スイッチ１４がオンになると内蔵電池により動作する。
【００１７】
先ず、照明制御部２０のＡ／Ｄ変換回路２１は、光センサ１９から入力された電圧信号をディジタル値に変換した検知レベル信号を出力し、これを受けた比較回路２２は、基準照度として予め定められた基準値とＡ／Ｄ変換回路２１からの検知レベル信号とを比較し、検知レベル信号が基準値以下となった点灯条件が満たされると、発光指示信号を出力する。なお、光センサ１９からの電圧信号が高くなり、検知レベル信号が基準値を超えると点灯条件が満たされなくなるので、発光指示信号が停止する。
【００１８】
そして、発光指示信号が入力された給電制御回路２３は、プローブ用照明灯１７への給電回路を閉じるようにスイッチングすることで、プローブ用照明灯１７を点灯させる電源の供給を開始する制御を行い、プローブ用照明灯１７を点灯させる。なお、プローブ用照明灯１７の給電回路には、液晶表示器用バックライト１５ａを並列に接続してあり、プローブ用照明灯１７への給電回路が閉じると、液晶表示器用バックライト１５ａも同時に点灯し、プローブ用照明灯１７が消えると同時に液晶表示器用バックライト１５ａも消えるものとした。
【００１９】
すなわち、計測作業を行うには暗いと思われる周囲環境の照度を基準照度として比較回路２２に設定しておけば、光センサ１９の電圧信号から生成した検知レベル信号が基準照度以下になると、計測作業に照明が必要な点灯条件が満たされたと判定でき、比較回路２２の発光指示信号を受けた給電制御回路２３がプローブ用照明灯１７の点灯・消灯動作を行うことで、プローブ用照明灯１７が自動で点灯する。よって、わざわざプローブ用照明灯１７を点灯させるためにスイッチを操作するような煩わしさを解消でき、使用者の利便性を高めることができる。しかも、光センサ１９によって光量不足が解消されたと検知されるまでプローブ用照明灯１７が消灯することはないので、計測作業中にプローブ用照明灯１７がタイムアップで消えてしまうようなこともない。
【００２０】
加えて、本実施形態のペン型接地抵抗計１０では、比較回路２２より発光指示信号が出力されて、給電制御回路２３がプローブ用照明灯１７への給電回路が閉じると、液晶表示器用バックライト１５ａへの電源供給も同時に開始されるので、暗室や夜間に使用するときは、液晶表示器用バックライト１５ａも自動で点灯して液晶表示器１５の計測結果を確認し易くなると共に、計測作業中に液晶表示器用バックライトがタイムアップで消えてしまうこともない。
【００２１】
また、本実施形態のペン型接地抵抗計１０は、本体１１における計測スイッチ１６の適宜前方に光センサ１９の受光部１９ａを配置してあるので、例えば、プローブ１３を差し入れた計測箇所は暗いが受光部１９ａには照明が当たっているために点灯条件を満たさないような場合、プローブ用照明灯１７は自動点灯しないものの、本体１１を支え持つ指先で受光部１９ａを覆うと、プローブ用照明灯１７を点灯させることができる。すなわち、計測スイッチ１６の近傍に受光部１９ａを配置しておけば、必要に応じて操作できる照明スイッチとして使うことができ、一層利便性を高めることができる。
【００２２】
以上、本考案に係る携帯型電気計測器の実施形態を添付図面に基づいて説明したが、本考案の包摂範囲は、この実施形態に限定されるものではなく、公知既存の手法を適宜転用することで実現しても構わない。
【符号の説明】
【００２３】
１０    ペン型接地抵抗計
１１    本体
１２    プローブ保持部
１３    プローブ
１３ａ  導通部
１４    電源スイッチ
１５    液晶表示器
１５ａ  液晶表示器用バックライト
１６    計測スイッチ
１７    プローブ用照明灯
１８    導光カバー部
１９    光センサ
２０    照明制御部
２１    Ａ／Ｄ変換回路
２２    比較回路
２３    給電制御回路
0003167914.tif 000003
【手続補正書】
【提出日】平成23年3月16日(2011.3.16)
【手続補正１】
【補正対象書類名】図面
【補正対象項目名】全図
【補正方法】変更
【補正の内容】
【図１】
0003167914.tif 000004
【図２】
0003167914.tif 000005